(57)【要約】【課題】擬似負荷を用いることなく、電池の消耗度合いを被測定者に通知可能な血圧計を提供する。【解決手段】血圧計（１０）は、カフ（５０）と、カフに気体を流入させて加圧する加圧ポンプ（２３）と、カフ内の気体を排気する為の電磁弁（２７）と、加圧部及び電磁弁とともに並列回路を構成する電池（７０）と、加圧部及び電磁弁を駆動する駆動制御部（４１）と、加圧部又は電磁弁を検査駆動したときの電池の端子電圧である検査駆動電圧を計測する電圧計測部（４５）と、検査駆動電圧に基づいて、血圧測定を行う為に加圧部及び電磁弁を駆動しようとした際の電池の端子電圧である血圧測定電圧を予測する電圧予測部（４６）と、予測された血圧測定電圧が所定電圧未満の場合、電池の端子電圧が血圧測定を行う為に不十分なことを報知する表示部（２１）と、を有する。【選択図】図２
2018171311.tif 000002
【特許請求の範囲】
【請求項１】
カフと、
前記カフに気体を流入させて加圧する加圧部と、
前記カフ内の気体を排気する為の電磁弁と、
前記加圧部及び前記電磁弁とともに並列回路を構成する電池と、
前記加圧部及び前記電磁弁を駆動する駆動制御部と、
前記加圧部又は前記電磁弁を検査駆動したときの前記電池の端子電圧である検査駆動電圧を計測する電圧計測部と、
前記検査駆動電圧に基づいて、血圧測定を行う為に前記加圧部及び前記電磁弁を駆動しようとした際の前記電池の端子電圧である血圧測定電圧を予測する電圧予測部と、
前記予測された血圧測定電圧が所定電圧未満の場合、前記電池の端子電圧が血圧測定を行う為に不十分なことを報知する報知部と、
を有することを特徴とする血圧計。
【請求項２】
前記電磁弁は、前記加圧部より電気抵抗が大きく設定され、
前記検査駆動では、前記駆動制御部は、前記加圧部を駆動せず、且つ、前記電磁弁を血圧測定を行う為の駆動状態とする、請求項１に記載の血圧計。
【請求項３】
前記駆動制御部は、前記加圧部及び前記電磁弁をＰＷＭ制御し、
前記検査駆動では、前記駆動制御部は、前記加圧部及び前記電磁弁を、それぞれ０％より大きく血圧測定を行う為のデューティより小さいデューティでＰＷＭ制御して駆動する、請求項１に記載の血圧計。
【発明の詳細な説明】
【技術分野】
【０００１】
本発明は、血圧計に関する。
【背景技術】
【０００２】
電池で動作する血圧計では、血圧測定時にはポンプなどを駆動し、そのために十分な電圧を有する電池を使用する。しかし、電池が消耗すると、実際に電池が出力する電圧である端子電圧が低下し、血圧計としての動作に支障をきたすことがある。これに対応するため、血圧計内部の電池の消耗度を検出して、被測定者に通知可能な血圧計が知られている。
【０００３】
特許文献１には、電源投入直後及び測定スタート時に、周辺装置の電力負荷に相当する疑似負荷を接続した状態で電圧レベルを測定する電子血圧計が記載されている。この血圧計では、血圧測定スタート時に擬似負荷を接続した状態の電圧レベルが基準電圧に達していないと判断したときに電池消耗を報知することにより、正確な電池の消耗度をチェック可能としている。
【先行技術文献】
【特許文献】
【０００４】
【特許文献１】特開昭６２−１５５８２８号公報
【発明の概要】
【発明が解決しようとする課題】
【０００５】
特許文献１の血圧計では、周辺装置の電力負荷に相当する疑似負荷を使用して電圧レベルを測定しているため、本来不要な疑似負荷を血圧計に備えることが必要である。このため、部品増による製造コストの上昇等の問題が生じる。
【０００６】
そこで、本発明は、擬似負荷を用いることなく、電池の消耗度合いを被測定者に通知可能な血圧計を提供することを目的とする。
【課題を解決するための手段】
【０００７】
本発明に係る血圧計は、カフと、カフに気体を流入させて加圧する加圧部と、カフ内の気体を排気する為の電磁弁と、加圧部及び電磁弁とともに並列回路を構成する電池と、加圧部及び電磁弁を駆動する駆動制御部と、加圧部又は電磁弁を検査駆動したときの電池の端子電圧である検査駆動電圧を計測する電圧計測部と、検査駆動電圧に基づいて、血圧測定を行う為に加圧部及び電磁弁を駆動しようとした際の電池の端子電圧である血圧測定電圧を予測する電圧予測部と、予測された血圧測定電圧が所定電圧未満の場合、電池の端子電圧が血圧測定を行う為に不十分なことを報知する報知部と、を有することを特徴とする。
【０００８】
本発明に係る血圧計では、電磁弁は、加圧部より電気抵抗が大きく設定され、検査駆動では、駆動制御部は、加圧部を駆動せず、且つ、電磁弁を血圧測定を行う為の駆動状態とすることが好ましい。
【０００９】
本発明に係る血圧計では、駆動制御部は、加圧部及び電磁弁をＰＷＭ制御し、検査駆動では、駆動制御部は、加圧部及び電磁弁を、それぞれ０％より大きく血圧測定を行う為のデューティより小さいデューティでＰＷＭ制御して駆動することが好ましい。
【発明の効果】
【００１０】
本発明の血圧計によれば、擬似負荷を用いることなく、電池の消耗度合いを被測定者に通知することができる。
【図面の簡単な説明】
【００１１】
【図１】（Ａ）は血圧計１０の全体を示す斜視図であり、（Ｂ）は本体２０内部の空気路を示す図である。
【図２】血圧計１０の概略構成を示すブロック図である。
【図３】血圧計１０の等価回路の一例を示す図である。
【図４】（ａ）及び（ｂ）は血圧測定電圧の予測方法の一例を示す概念図である。
【図５】血圧計１０の動作例を示したフローチャートである。
【図６】電池マーク２１Ａの表示の一例を示す図である。
【図７】（ａ）及び（ｂ）は血圧測定電圧の予測方法の他の例を示す概念図である。
【発明を実施するための形態】
【００１２】
以下、添付図面を参照して、本発明に係る血圧計について詳細に説明する。ただし、本発明の技術的範囲はそれらの実施の形態に限定されず、特許請求の範囲に記載された発明とその均等物に及ぶ点に留意されたい。
【００１３】
＜実施形態１＞
図１（Ａ）は血圧計１０の全体を示す斜視図であり、図１（Ｂ）は本体２０内部の空気路を示す図である。図２は、血圧計１０の概略構成を示すブロック図である。
【００１４】
血圧計１０は、本体２０と、カフ５０と、第１空気管６０とを有する。血圧計１０は、カフ５０を加圧した後、カフ５０を減圧する過程で、被測定者の血圧を測定する。以下の説明はカフ５０を減圧する過程で非測定者の血圧を測定する場合のものであるが、カフ５０を加圧する過程で血圧を測定してもよい。
【００１５】
カフ５０は、本体２０から送られる空気を溜める空気袋５１を内蔵する。カフ５０は、例えば被測定者の上腕部に巻き付けられて、面ファスナ５２により固定される。図１（Ａ）では巻かれた状態のカフ５０を示し、図１（Ｂ）では開いた状態のカフ５０を示す。なお、カフ５０は、標準的な腕の太さに対応した標準腕用カフでもよいし、標準的な太さの腕と太い腕の両方に対応可能な広い範囲で空気容量が変化する万能型カフであってもよい。また、カフが固定される部位は、被測定者の手首など、上腕以外でもよい。
【００１６】
第１空気管６０は、本体２０からカフ５０に空気を送り込むための管である。第１空気管６０の一端部はプラグ６１とコネクタ６２を介して本体２０内の各部に接続され、反対側の他端部がカフ５０に接続される。
【００１７】
本体２０は、表示部２１と、操作部２２と、加圧ポンプ２３と、第１駆動回路２４と、圧力センサ２５と、発振回路２６と、電磁弁２７と、第２駆動回路２８と、微速減圧部２９と、メモリ３０と、制御部４０と、電池７０とを有する。電磁弁２７は、コネクタ６２に直接接続されている。微速減圧部２９は、第２空気管６３を介してコネクタ６２に接続されている。加圧ポンプ２３は、第３空気管６４を介して第２空気管６３の途中に設けられた分岐コネクタ６６と接続されている。圧力センサ２５は、第４空気管６５を介してコネクタ６２に接続されている。加圧ポンプ２３、圧力センサ２５、電磁弁２７及び微速減圧部２９は、さらにコネクタ６２、プラグ６１及び第１空気管６０を介して、カフ５０と接続されている。
【００１８】
表示部２１は、例えば液晶表示パネルで構成され、測定中の数値や、電池７０の残量を示す電池マーク、最高血圧値及び最低血圧値の測定結果、測定結果が基準血圧の範囲内であるか否かなどを表示する。表示部２１は報知部の一例である。
【００１９】
操作部２２は、例えば、測定の開始／停止を指示するためのスイッチや、被測定者を選択するためのスイッチなどを有する。
【００２０】
加圧ポンプ２３は、カフ５０に空気を送り込むことによって、カフ５０の内部を加圧する。加圧ポンプ２３は、カフ５０に気体を流入させて加圧する加圧部の一例である。なお、空気以外の気体を用いてカフ５０を加圧してもよい。
【００２１】
第１駆動回路２４は、制御部４０から与えられる制御信号に基づいて、加圧ポンプ２３を駆動する。
【００２２】
圧力センサ２５は、カフ５０内の圧力を検出して電気信号に変換するセンサであり、圧力検出信号を発振回路２６に出力する。カフ５０内の圧力とは、カフ５０に設けられた空気袋５１内の圧力であり、以下では単に「カフ圧」という。
【００２３】
発振回路２６は、圧力センサ２５から取得した圧力検出信号を周波数信号に変換し、制御部４０に出力する。カフ圧は、この周波数信号の周波数変化から算出される。
【００２４】
電磁弁２７は、電磁石により鉄心を動かすことで開閉する仕組みの弁であり、カフ内の空気を強制排気するための空気路開閉弁（強制排気弁）として用いられる。電磁弁２７は、無通電（ＯＦＦ）のときに開放状態となり、所定以上の電流で駆動されたとき（ＯＮのとき）に遮蔽状態となる。
【００２５】
電磁弁２７は、加圧ポンプ２３による加圧中及び微速減圧部２９による減圧中（血圧測定中）は、電池７０により通電されることにより、本体２０内の空気路を漏れがないように遮蔽する。また、電磁弁２７は、測定終了時には、無通電となることで開放されて、速やかにカフ５０内の空気を排気する。
【００２６】
第２駆動回路２８は、制御部４０から与えられる制御信号に基づいて電磁弁２７を駆動することにより、電磁弁２７を開閉する。
【００２７】
微速減圧部２９は、例えばゴム製の弁であり、血圧測定中に、加圧ポンプ２３により加圧されたカフ５０内の空気を定速で排気して、カフ５０を徐々に減圧する。
【００２８】
メモリ３０は、血圧計１０の動作に必要な情報及び血圧計１０の各構成要素の属性を記憶する。特に、メモリ３０は、加圧ポンプ２３及び電磁弁２７の電気抵抗値を記憶する。メモリ３０として、ＲＡＭ（Random Access Memory）、ＲＯＭ（Read Only Memory）などが用いられる。
【００２９】
制御部４０は、ＣＰＵ、ＲＡＭ及びＲＯＭなどを含む制御回路として構成される。制御部４０は、機能ブロックとして、駆動制御部４１と、加圧制御部４２と、排気制御部４３と、血圧値測定部４４と、電圧計測部４５と、電圧予測部４６と、表示制御部４７とを有する。
【００３０】
駆動制御部４１は、血圧測定や電池７０の端子電圧の計測などのために、加圧ポンプ２３及び電磁弁２７を駆動する。これを実行するため、駆動制御部４１は、加圧制御部４２及び排気制御部４３を有する。
【００３１】
加圧制御部４２は、圧力センサ２５により検出される圧力が所定の加圧上限圧力（例えば２００ｍｍＨｇ）になるまでカフ５０を加圧するように、第１駆動回路２４を制御する。
【００３２】
排気制御部４３は、電磁弁２７の開閉を制御するための制御信号を第２駆動回路２８に与えて、電磁弁２７によるカフ５０内の空気の排気を制御する。例えば、排気制御部４３は、加圧ポンプ２３による加圧時には電磁弁２７を電池７０により通電して遮蔽し、測定終了時には電磁弁２７を無通電（ＯＦＦ）にして開放するように制御する。
【００３３】
血圧値測定部４４は、加圧ポンプ２３によりカフ圧が加圧上限圧力になるまで加圧された後で、微速減圧部２９によりカフ５０が減圧されるときに、被測定者の血圧値を算出する。血圧値測定部４４は、発振回路２６が生成した周波数信号の周波数の変化から検出される各脈波の開始圧力値やその測定時間などのデータに基づき、例えばオシロメトリック方式を利用して、被測定者の最高血圧値と最低血圧値を測定する。
【００３４】
電圧計測部４５は、加圧ポンプ２３及び／又は電磁弁２７を駆動したときの電池７０の端子電圧を計測する。
【００３５】
電圧予測部４６は、電圧計測部４５が計測した端子電圧、加圧ポンプ２３及び電磁弁２７の電気抵抗などに基づいて、血圧測定を行う際の電池７０の端子電圧である血圧測定電圧を予測する。この予測方法は、図４、図７などを用いて後述する。
【００３６】
表示制御部４７は、血圧値測定部４４により測定された最高・最低血圧値や、電池７０の残量などを表示部２１に表示する。
【００３７】
電池７０は、加圧ポンプ２３の第１駆動回路２４、電磁弁２７の第２駆動回路２８、メモリ３０、制御部４０などに電力を供給する。電池７０として、マンガン電池、アルカリ電池などが用いられる。
【００３８】
図３は血圧計１０の等価回路の一例を示す図である。
【００３９】
図３に示すように、加圧ポンプ２３と電磁弁２７とは並列に電池７０に接続される。すなわち、電池７０は、加圧ポンプ２３及び電磁弁２７とともに並列回路を構成する。以下、加圧ポンプ２３の電気抵抗をＲｐ、電磁弁２７の電気抵抗をＲｖと称する。
【００４０】
第１駆動回路２４はスイッチング用の第１トランジスタ２４ａを含み、第１トランジスタ２４ａは加圧ポンプ２３と直列に接続されている。加圧制御部４２は、第１駆動回路２４に含まれる第１トランジスタ２４ａを制御して、加圧ポンプ２３への通電及び非通電を高周波で切り替えるＰＷＭ（Pulse Width Modulation）制御を行う。なお、図３において、第１駆動回路２４の第１トランジスタ２４ａ以外の回路構成は省略している。また、第１駆動回路２４において、トランジスタ以外の他のスイッチング素子を利用しても良い。
【００４１】
第２駆動回路２８はスイッチング用の第２トランジスタ２８ａを含み、第２トランジスタ２８ａは電磁弁２７と直列に接続されている。排気制御部４３は、第２駆動回路２８に含まれる第２トランジスタ２８ａを制御して、電磁弁２７への通電及び非通電を高周波で切り替えるＰＷＭ制御を行う。なお、図３において、第２駆動回路２８の第２トランジスタ２８ａ以外の回路構成は省略している。また、第２駆動回路２８において、トランジスタ以外の他のスイッチング素子を利用しても良い。
【００４２】
なお、第１駆動回路２４及び第２駆動回路２８のＰＷＭ制御において、デューティ＝１００％の状態を常にオン状態とし、デューティ＝０％の状態を常にオフ状態とする。第１駆動回路２４及び第２駆動回路２８は、０％〜１００％の中から、適切なデューティを設定できるように構成されている。例えば、より高いデューティで加圧ポンプ２３を駆動制御した場合、より高い電力が消費される事となるが、より早く空気がカフ５０に送り込まれる事となる。また、約５〜１０％のデューティで電磁弁２７を駆動制御した場合、電磁弁２７は細かく開閉を繰り返し、さらに大きなデューティで電磁弁２７を駆動制御した場合、電磁弁２７は閉じたままとなり、空気路が完全に遮断される事となる。
【００４３】
電池７０は、起電力Ｅの電池と抵抗Ｒｉｎが直列に接続したものとしてモデル化できる。この抵抗Ｒｉｎを電池７０の内部抵抗といい、電池７０が消耗するほど内部抵抗Ｒｉｎは大きくなる。また、内部抵抗Ｒｉｎによる電圧降下が存在するため、電池７０の端子電圧をＶとすると、電池７０の起電力Ｅ＞電池７０の端子電圧Ｖとなる。すなわち、加圧ポンプ２３及び電磁弁２７にかかる電圧は、電池７０の起電力Ｅより小さな電圧である。
【００４４】
本実施形態における電池７０の起電力Ｅ、加圧ポンプ２３の電気抵抗Ｒｐ、電磁弁２７の電気抵抗Ｒｖ及びＲｐとＲｖとを並列接続したときの合成抵抗であるＲｂの値を、表１に示す。なお、表１に示す値は一例であって、他の値としてもよい。
【００４５】
【表１】
2018171311.tif 000003
【００４６】
図４（ａ）及び（ｂ）は血圧測定電圧の予測方法の一例を示す概念図である。
【００４７】
ここでは、検査駆動時に、電磁弁２７を血圧測定時と同じ状態で駆動し、加圧ポンプ２３を一切駆動しないで、血圧測定電圧を予想している。なお、血圧測定電圧とは加圧ポンプ２３及び電磁弁２７を駆動して血圧測定を行う際の電池７０の端子間電圧Ｖをいい、検査駆動とは血圧測定電圧Ｖｂを予測するために、血圧測定時より小さい電力で加圧ポンプ２３及び／又は電磁弁２７を駆動することを言う。また、検査駆動の際の電池７０の端子間電圧を検査駆動電圧と称する。
【００４８】
図４（ａ）は、電磁弁２７を血圧測定時と同じ状態（例えば、デューティ＝５０％）で駆動し、加圧ポンプ２３を一切駆動しない状態を示している。ここで、検査駆動電圧Ｖｖ、電池７０の起電力Ｅ及び内部抵抗Ｒｉｎ、及び、電磁弁２７の電気抵抗Ｒｖの間には式（１）に示す関係が成り立つので、式（１）より、電池７０の内部抵抗Ｒｉｎを式（２）の様に表すことができる。
【００４９】
【数１】
2018171311.tif 000004
【００５０】
図４（ｂ）は、加圧ポンプ２３及び電磁弁２７を血圧測定時と同じ状態（例えば、デューティ＝５０％）で駆動した状態を示している。ここで、血圧測定電圧Ｖｂ、電池７０の起電力Ｅ及び内部抵抗Ｒｉｎ、及び、合成抵抗Ｒｂの間には式（３）に示す関係が成り立つ。なお、合成抵抗Ｒｂは、加圧ポンプ２３の電気抵抗Ｒｐと電磁弁２７の電気抵抗Ｒｖとの合成抵抗である。
【００５１】
【数２】
2018171311.tif 000005
【００５２】
式（２）に示されるＲｉｎを式（３）に代入すると、血圧測定電圧Ｖｂを式（４）の様に導くことができる。すなわち、検査駆動電圧Ｖｖを測定することにより、予め電磁弁２７の電気抵抗Ｒｖ、加圧ポンプ２３の電気抵抗Ｒｐ、及び電池７０の起電力Ｅを測定しておけば、血圧測定電圧Ｖｂを予測することができる。
【００５３】
【数３】
2018171311.tif 000006
【００５４】
例えば、表１及び式（４）より、検査駆動電圧Ｖｖが約５．５４（Ｖ）であるとき、血圧測定電圧Ｖｂの予測値は３．６（Ｖ）となる。
【００５５】
図５は、血圧計１０の動作例を示したフローチャートである。図５に示す処理フローは、制御部４０のＲＯＭに予め記録されているプログラムに従って、制御部４０のＣＰＵが実行する。
【００５６】
血圧測定開始前は、電磁弁２７は無通電であり開放されている。血圧測定開始のスイッチが操作されると、駆動制御部４１は加圧ポンプ２３及び電磁弁２７を検査駆動する（Ｓ１１）。具体的には、排気制御部４３は、電磁弁２７を血圧測定を行う為の駆動状態にして遮蔽するが、加圧制御部４２は、加圧ポンプ２３をＯＮにせず、カフ５０の加圧は行わない（図４（ａ）参照）。
【００５７】
次に、電圧計測部４５は検査駆動電圧（図４（ａ）のＶｖ）を計測し（Ｓ１２）、駆動制御部４１は、加圧ポンプ２３及び／又は電磁弁２７の検査駆動を停止する（Ｓ１３）。具体的には、排気制御部４３は、電磁弁２７を無通電（ＯＦＦ）にして（すなわち電磁弁２７の駆動を停止して）開放し、カフ５０内の空気を急速に排気させる。
【００５８】
次に、電圧予測部４６は式（４）を用いて血圧測定電圧を予測し（Ｓ１４）、駆動制御部４１は、予測された血圧測定電圧が所定電圧以上か否かを判定する（Ｓ１５）。例えば、所定電圧は、加圧ポンプ２３が適切に駆動できる電圧の下限値であってもよい。また例えば、電池７０の端子電圧が制御部４０にかかり、且つ、端子電圧がある電圧Ａを下回ると制御部４０がリセットされる場合、電圧Ａより高い電圧をＳ１５の所定電圧に設定してもよい。
【００５９】
予測された血圧測定電圧が所定電圧以上の場合（Ｓ１５のＹ）、駆動制御部４１は、血圧測定の為に加圧ポンプ２３及び電磁弁２７を駆動する。具体的には、排気制御部４３は電磁弁２７を閉じ、加圧制御部４２は、加圧ポンプ２３をＯＮにしてカフ５０の加圧を開始する。カフ５０が加圧上限圧力（例えば２００ｍｍＨｇ）になるまで加圧されると、加圧制御部４２は加圧ポンプ２３をＯＦＦにして加圧を停止する。続いて、微速減圧部２９によりカフ５０が減圧される過程で、血圧値測定部４４は、血圧測定を実行する（Ｓ１６）。血圧測定が終了すると、排気制御部４３は、電磁弁２７の駆動を停止して開放し、カフ５０内の空気を急速に排気させる。
【００６０】
血圧測定が終了すると、血圧値測定部４４は、測定した値に基づいて被測定者の血圧値を算出し、表示制御部４７は、表示部２１に血圧測定結果を表示する（Ｓ１７）。
【００６１】
予測された血圧測定電圧が所定電圧未満の場合（Ｓ１５のＮ）、加圧制御部４２は加圧ポンプ２３をＯＮにせず（すなわち加圧ポンプ２３を駆動せず）、カフ５０の加圧を開始しない。そして、表示制御部４７は、電池７０の端子電圧が血圧測定を行う為に不十分であり血圧測定ができないことを示すマーク、例えば、電池残量がないことを示す電池マーク２１Ａを、表示部２１に表示する（Ｓ１８）。電池マーク２１Ａの表示の一例を図６に示す。この様に、血圧測定を行う為の電圧を確保できないと予測される際には加圧ポンプ２３を駆動せず、不具合の発生を未然に防止することができる。以上で、血圧計１０による血圧測定の動作は終了する。
【００６２】
なお、本実施形態においては、検査駆動電圧を計測（Ｓ１２）した後、直ちに検査駆動を停止（Ｓ１３）したが、検査駆動の停止を行わずに加圧ポンプ２３を駆動して血圧測定（Ｓ１６）を行ってもよい。この場合、電磁弁２７の停止及び再駆動が不要となるため、血圧測定をより早く開始することができる。なお、血圧測定電圧が所定電圧未満であれば（Ｓ１５のＮ）、血圧測定不可であることを表示（Ｓ１８）する前又は後に、検査駆動の停止を行う。
【００６３】
＜変形例１＞
図７（ａ）及び（ｂ）は血圧測定電圧の予測方法の他の例を示す概念図である。
【００６４】
ここでは、検査駆動時に、加圧ポンプ２３及び電磁弁２７を、それぞれ０％より大きく血圧測定を行う為のデューティより小さいデューティでＰＷＭ制御して駆動し、血圧測定電圧を予想している。
【００６５】
図７（ａ）は、加圧ポンプ２３及び電磁弁２７を、それぞれ０％より大きく血圧測定を行う為のデューティより小さいデューティα％でＰＷＭ制御して駆動した状態を示している。ここで、電池７０の内部抵抗Ｒｉｎによる電圧降下量ΔＶα、電池７０の起電力Ｅ、及び検査駆動電圧Ｖαの間には式（５）に示す関係が成り立つ。
【００６６】
【数４】
2018171311.tif 000007
【００６７】
図７（ｂ）は、加圧ポンプ２３及び電磁弁２７を、デューティ＝１００％でＰＷＭ制御して駆動した状態を示している。ここで、電池７０の内部抵抗Ｒｉｎによる電圧降下量ΔＶ１００、電池７０の起電力Ｅ、及び、血圧測定電圧Ｖｂの間には式（６）に示す関係が成り立つ。
【００６８】
【数５】
2018171311.tif 000008
【００６９】
ここで、電池７０の内部抵抗Ｒｉｎによる電圧降下量はデューティに比例すると仮定できるので、以下の式（７）によってΔＶαからΔＶ１００を予測することができる。
【００７０】
【数６】
2018171311.tif 000009
【００７１】
式（５）に示されるΔＶα及び式（６）に示されるΔＶ１００を式（７）に代入すると、血圧測定電圧Ｖｂを式（８）の様に導くことができる。すなわち、検査駆動電圧Ｖαを測定することにより、予め電池７０の起電力Ｅを測定し、加圧ポンプ２３及び電磁弁２７を検査駆動する際のデューティαを定めておけば、血圧測定電圧Ｖｂを予測することができる。
【００７２】
【数７】
2018171311.tif 000010
【００７３】
例えば、電池７０の起電力Ｅ＝６（Ｖ）、デューティα＝２０（％）であれば、検査駆動電圧Ｖαが５．５２（Ｖ）であるとき、血圧測定電圧Ｖｂの予測値は３．６（Ｖ）となることがわかる。
【００７４】
式（８）を用いて血圧測定電圧Ｖｂを予測することにより、血圧計１０は、加圧ポンプ２３の電気抵抗Ｒｐ及び電磁弁２７の電気抵抗Ｒｖを用いることなく、血圧測定電圧Ｖｂを予測できる。なお、本変形例では血圧測定を行う為に加圧ポンプ２３及び電磁弁２７をＰＷＭ制御する際のデューティが１００％の例について記載したが、血圧測定を行う為のデューティはこれに限らず、αより大きな値であればよい。
【００７５】
本変形例において血圧測定電圧Ｖｂを予測する場合の処理手順は、図５のフローチャートと比較して以下の３点のみが異なり、他の処理は同じである。
【００７６】
第１に、Ｓ１１の検査駆動において、駆動制御部４１が、加圧ポンプ２３及び電磁弁２７を、それぞれ０％より大きく血圧測定を行う為のデューティより小さいデューティでＰＷＭ制御して駆動する。
【００７７】
第２に、Ｓ１３の検査駆動の停止において、排気制御部４３が電磁弁２７をＯＦＦにしてカフ５０内の空気を排気することに加え、加圧制御部４２が加圧ポンプ２３をＯＦＦにしてカフ５０への加圧を停止する。
【００７８】
第３に、Ｓ１４の血圧測定電圧の予測において、電圧予測部４６は式（８）を用いて血圧測定電圧を予測する。
【００７９】
＜変形例２＞
実施形態１では、加圧ポンプ２３を駆動せず、加圧ポンプ２３より電気抵抗の大きな電磁弁２７を駆動することにより検査駆動を行った。これに換えて、電磁弁２７を駆動せず、電磁弁２７より電気抵抗の小さな加圧ポンプ２３を駆動することにより検査駆動を行ってもよい。ただし、電気抵抗のより大きな電磁弁を駆動して検査駆動を行うことにより、検査駆動に必要な電力を少なくすることができる点において、変形例２より実施形態１は優れている。
【００８０】
＜変形例３＞
実施形態１では、電池７０の端子電圧が血圧測定を行う為に不十分なことを報知する報知部の例として、表示部２１が電池マーク２１Ａを表示した。これに換えて、またはこれと併用して、スピーカーなどからなる音通知部２１´（図示せず）が、警告音又は「電池が古いため血圧を測定できません」などの音声により報知してもよい。また、表示部２１及び／又は音通知部２１´に換えて、またはこれらと併用して、振動モータなどからなる振動部２１´´（図示せず）が振動により報知してもよい。
【００８１】
以上説明してきたように、血圧計１０は、加圧部又は電磁弁を検査駆動したときの検査駆動電圧に基づいて血圧測定電圧を予測し、予測された血圧測定電圧が所定電圧未満の場合、電池の端子電圧が血圧測定を行う為に不十分なことを報知できる。これにより、擬似負荷を用いることなく、電池の消耗度合いを被測定者に通知することができる。
【００８２】
また、血圧計１０では、電磁弁は、加圧部より電気抵抗が大きく設定され、検査駆動では、駆動制御部は、加圧部を駆動せず、且つ、電磁弁を血圧測定を行う為の駆動状態とする。これにより、電磁弁の代わりに加圧部を用いて検査駆動を行うときほど大きな電力を要することなく、電池の消耗度合いを被測定者に通知することができる。
【００８３】
また、血圧計１０では、駆動制御部は、加圧部及び電磁弁をＰＷＭ制御し、検査駆動では、駆動制御部は、加圧部及び電磁弁を、それぞれ０％より大きく血圧測定を行う為のデューティより小さいデューティでＰＷＭ制御して駆動する。これにより、血圧計１０は、加圧ポンプ２３の電気抵抗Ｒｐ及び電磁弁２７の電気抵抗Ｒｖを用いることなく、血圧測定電圧Ｖｂを予測できる。
【符号の説明】
【００８４】
１０    血圧計
２１    表示部
２１Ａ    電池マーク
２３    加圧ポンプ
２７    電磁弁
４１    駆動制御部
４５    電圧計測部
４６    電圧予測部
５０    カフ
７０    電池
【図１】
2018171311.tif 000011
【図２】
2018171311.tif 000012
【図３】
2018171311.tif 000013
【図４】
2018171311.tif 000014
【図５】
2018171311.tif 000015
【図６】
2018171311.tif 000016
【図７】
2018171311.tif 000017